(57)【要約】【課題】移動通信端末の実装を複雑にすることなく、ＶｏＩＰ通信中の再接続処理におけるセルサーチを最適化する。【解決手段】本発明に係る移動通信方法は、移動通信端末ＵＥが、ＶｏＩＰ通信をサポートしているＬＴＥネットワークにおいてＶｏＩＰ通信を開始する際に、ＬＴＥネットワークが、移動通信端末ＵＥのＡＳレイヤ機能に対して、サーチ対象のＲＡＴを指定するサーチ対象ＲＡＴ情報を送信する工程と、移動通信端末ＵＥのＡＳレイヤ機能が、無線品質の劣化を検出した場合に、上述のサーチ対象ＲＡＴ情報によって指定されているＲＡＴに限定してセルサーチを行う工程とを有する。【選択図】図４
2014212446.tif 000002
【特許請求の範囲】
【請求項１】
移動通信端末が、ＶｏＩＰ通信をサポートしているネットワークにおいてＶｏＩＰ通信を開始する際に、該ネットワークが、該移動通信端末のＡＳレイヤ機能に対して、サーチ対象のＲＡＴを指定するサーチ対象ＲＡＴ情報を送信する工程と、
前記移動通信端末のＡＳレイヤ機能が、無線品質の劣化を検出した場合に、前記サーチ対象ＲＡＴ情報によって指定されている前記ＲＡＴに限定してセルサーチを行う工程とを有することを特徴とする移動通信方法。
【請求項２】
移動通信方法であって、
移動通信端末は、各ネットワークオペレータの各ＲＡＴがＶｏＩＰ通信をサポートしているか否かについて示すＶｏＩＰサポート情報を管理しており、
前記移動通信端末のＡＳレイヤ機能が、ネットワークから個別の所定タイマの値を受信した場合に、その時点で在圏しているネットワークオペレータに係る前記ＶｏＩＰサポート情報に基づいて、サーチ対象のＲＡＴを決定する工程と、
前記移動通信端末のＡＳレイヤ機能が、無線品質の劣化を検出した場合に、決定した前記ＲＡＴに限定してセルサーチを行う工程とを有することを特徴とする移動通信方法。
【請求項３】
移動通信端末であって、
ＡＳレイヤ機能として再接続制御部を具備しており、
前記再接続制御部は、ＶｏＩＰ通信をサポートしているネットワークにおいてＶｏＩＰ通信を開始する際に、該ネットワークから、サーチ対象のＲＡＴを指定するサーチ対象ＲＡＴ情報を取得するように構成されており、
前記再接続制御部は、無線品質の劣化を検出した場合に、前記サーチ対象ＲＡＴ情報によって指定されている前記ＲＡＴに限定してセルサーチを行うように構成されていることを特徴とする移動通信端末。
【請求項４】
移動通信端末であって、
ＡＳレイヤ機能として再接続制御部を具備しており、
前記再接続処理部は、各ネットワークオペレータの各ＲＡＴがＶｏＩＰ通信をサポートしているか否かについて示すＶｏＩＰサポート情報を管理しており、
前記再接続処理部は、前記ネットワークから個別の所定タイマの値を受信した場合に、その時点で在圏しているネットワークオペレータに係る前記ＶｏＩＰサポート情報に基づいて、サーチ対象のＲＡＴを決定するように構成されており、
前記再接続処理部は、無線品質の劣化を検出した場合に、決定した前記ＲＡＴに限定してセルサーチを行うように構成されていることを特徴とする移動通信端末。
【発明の詳細な説明】
【技術分野】
【０００１】
本発明は、移動通信方法及び移動通信端末に関する。
【背景技術】
【０００２】
３ＧＰＰの仕様では、再接続処理と呼ばれる手順が規定されている。かかる再接続処理は、通信中の移動通信端末ＵＥが、無線品質が劣化して在圏中のセルにおける通信の継続が不可能な状態であることを検出した場合に、圏内復帰のためにセルサーチを行い、選択したセルでネットワークとのコネクション再確立を試みる処理である。
【０００３】
３ＧＰＰの仕様では、再接続処理において行われるセルサーチの詳細な方法については規定されておらず、各移動通信端末ＵＥにおける実装に委ねられている。
【０００４】
また、再接続処理は、移動通信端末ＵＥに対して提供中の通信サービスの種類によらず、共通の仕様によって規定されている。
【０００５】
ここで、ネットワークオペレータ（移動通信事業者）が、ＬＴＥ（Ｌｏｎｇ  Ｔｅｒｍ  Ｅｖｏｌｕｔｉｏｎ）方式の通信サービス及び３Ｇ方式の通信サービスを提供している場合について考える。
【０００６】
現在の３ＧＰＰの仕様では、かかるネットワークオペレータのＬＴＥネットワーク配下のセルにおいて通信中の移動通信端末ＵＥが、再接続処理を行う場合に、ＬＴＥネットワーク配下のセルを対象にしたセルサーチ及び３Ｇネットワーク配下のセルを対象にしたセルサーチをどのような時間配分や順序で行うかについては規定されておらず移動通信端末ＵＥの実装に依存されている。
【０００７】
３ＧＰＰの仕様では、セルサーチの時間を含めて再接続処理を試みることができる期間は、再接続タイマ（ＬＴＥ方式では、Ｔ３１１と呼ばれるタイマ）で定められており、かかる再接続タイマが満了すると呼切断となるように規定されている。
【０００８】
データ通信は、ＬＴＥネットワーク及び３Ｇネットワークのどちらでもサポートされているため、ＬＴＥネットワーク配下のセルにおいて通信中の移動通信端末ＵＥは、再接続処理を行う場合に、ＬＴＥネットワーク配下のセルを対象としたセルサーチを早々に停止して、３Ｇネットワーク配下のセルを対象としたセルサーチを行い、３Ｇネットワーク配下のセルを選択したとしても、データ通信を継続することができる。
【０００９】
一方、ＶｏＩＰ（Ｖｏｉｃｅ  ｏｖｅｒ  ＩＰ）通信をサポートするためには、ネットワークで、ＩＭＳ（ＩＰ  Ｍｕｌｔｉｍｅｄｉａ  Ｓｕｂｓｙｓｔｅｍ）と呼ばれるシステムをサポートする必要があり、３ＧＰＰの仕様上、かかるシステムがサポートされているか否かは、ＲＡＴ（Ｒａｄｉｏ  Ａｃｃｅｓｓ  Ｔｅｃｈｎｏｌｏｇｙ、無線アクセス方式）ごとに異なる。
【００１０】
したがって、上述のネットワークオペレータのＬＴＥネットワークにおいて、ＶｏＩＰ通信をサポートしており、３Ｇネットワークをサポートしていない場合、図１３に示すように、ＬＴＥネットワーク配下のセルにおいて通信中の移動通信端末ＵＥ（ステップＳ２００１参照）は、再接続処理におけるセルサーチ（ステップＳ２００４参照）によって３Ｇネットワーク配下のセルを選択してしまうと（ステップＳ２００５参照）、ＶｏＩＰ通信を継続することができなくなり呼切断となる（ステップＳ２００６参照）。
【００１１】
このように、移動通信端末ＵＥが、図１３に示すセルサーチを行うことは、本来、再接続タイマ（Ｔ３１１）が満了するまで、ＬＴＥネットワークで復帰のチャンスがあるにも関わらず、自ら呼切断のタイミングを早めてしまうことになり、不適切である。
【００１２】
上述のようなネットワークでは、ＬＴＥネットワーク配下のセルにおいて通信中の移動通信端末ＵＥは、再接続処理を行う際には、各ＲＡＴがＶｏＩＰ通信をサポートしているか否かについての状況を考慮し、ＶｏＩＰ通信がサポートされているＲＡＴ配下のセルのみをセルサーチの対象とすることが望ましい。
【００１３】
３ＧＰＰの仕様では、アタッチ処理若しくは位置登録処理の際に、各ＲＡＴおけるＶｏＩＰ通信のサポート情報（ＩＭＳ  ｖｏｉｃｅ  ｏｖｅｒ  ＰＳ  ｓｅｓｓｉｏｎ  ｉｎｄｉｃａｔｏｒ）についてネットワークから通知されるように規定されている。
【００１４】
具体的には、ＬＴＥネットワークにおけるＶｏＩＰ通信のサポート情報は、ＬＴＥネットワークへのアタッチ処理及び位置登録処理において通知され、３ＧネットワークにおけるＶｏＩＰ通信のサポート情報は、３Ｇネットワークへのアタッチ処理及び位置登録処理において通知されるように構成されている。
【００１５】
ここで、かかるＶｏＩＰ通信のサポート情報を利用して、ＶｏＩＰ通信中の移動通信端末ＵＥによって行われる再接続処理におけるセルサーチを最適化する方法が考えられている。
【００１６】
具体的には、かかる方法では、第１に、移動通信端末ＵＥは、ネットワークから通知された各ネットワークにおけるＶｏＩＰ通信のサポート情報を記憶しておく。
【００１７】
第２に、移動通信端末ＵＥは、再接続処理を行う場合に、ＶｏＩＰ通信を行っているか否かについて判定する。
【００１８】
第３に、移動通信端末ＵＥは、ＶｏＩＰ通信を行っていると判定した場合には、記憶している各ネットワークにおけるＶｏＩＰ通信のサポート情報を参照し、ＶｏＩＰ通信をサポートしているＲＡＴ配下のセルのみをセルサーチの対象とする。
【００１９】
一方、移動通信端末ＵＥは、ＶｏＩＰ通信を行っていないと判定した場合には、既存のセルサーチを実施する。
【先行技術文献】
【非特許文献】
【００２０】
【非特許文献１】３ＧＰＰ  ＴＳ３６.３００
【非特許文献２】３ＧＰＰ  ＴＳ３６.３３１
【発明の概要】
【発明が解決しようとする課題】
【００２１】
３ＧＰＰの仕様上、移動通信端末ＵＥにおいて、ＩＭＳレイヤ機能とＮＡＳ（Ｎｏｎ  Ａｃｃｅｓｓ  Ｓｔｒａｔｕｍ）レイヤ機能とＡＳ（Ａｃｃｅｓｓ  Ｓｔｒａｔｕｍ）レイヤ機能とが設けられており、ＩＭＳレイヤ機能が、再接続処理を行う場合に、ＶｏＩＰ通信を行っているか否かについて判定することができるように構成されており、ＮＡＳレイヤ機能が、ＶｏＩＰ通信のサポート情報（ＩＭＳ  ｖｏｉｃｅ  ｏｖｅｒ  ＰＳ  ｓｅｓｓｉｏｎ  ｉｎｄｉｃａｔｏｒ）を認識することができるように構成されており、ＡＳ機能が、再接続処理におけるセルサーチを行うことができるように構成されている。
【００２２】
すなわち、上述の方法を実現しようとすると、各機能間で情報の連携を行わなければならず、移動通信端末ＵＥの実装が困難であるという問題点があった。
【００２３】
そこで、本発明は、上述の課題に鑑みてなされたものであり、移動通信端末の実装を複雑にすることなく、ＶｏＩＰ通信中の再接続処理におけるセルサーチを最適化することができる移動通信方法及び移動通信端末を提供することを目的とする。
【課題を解決するための手段】
【００２４】
本発明の第１の特徴は、移動通信方法であって、移動通信端末が、ＶｏＩＰ通信をサポートしているネットワークにおいてＶｏＩＰ通信を開始する際に、該ネットワークが、該移動通信端末のＡＳレイヤ機能に対して、サーチ対象のＲＡＴを指定するサーチ対象ＲＡＴ情報を送信する工程と、前記移動通信端末のＡＳレイヤ機能が、無線品質の劣化を検出した場合に、前記サーチ対象ＲＡＴ情報によって指定されている前記ＲＡＴに限定してセルサーチを行う工程とを有することを要旨とする。
【００２５】
本発明の第２の特徴は、移動通信方法であって、移動通信端末は、各ネットワークオペレータの各ＲＡＴがＶｏＩＰ通信をサポートしているか否かについて示すＶｏＩＰサポート情報を管理しており、前記移動通信端末のＡＳレイヤ機能が、ネットワークから個別の所定タイマの値を受信した場合に、その時点で在圏しているネットワークオペレータに係る前記ＶｏＩＰサポート情報に基づいて、サーチ対象のＲＡＴを決定する工程と、前記移動通信端末のＡＳレイヤ機能が、無線品質の劣化を検出した場合に、決定した前記ＲＡＴに限定してセルサーチを行う工程とを有することを要旨とする。
【００２６】
本発明の第３の特徴は、移動通信端末であって、ＡＳレイヤ機能として再接続制御部を具備しており、前記再接続制御部は、ＶｏＩＰ通信をサポートしているネットワークにおいてＶｏＩＰ通信を開始する際に、該ネットワークから、サーチ対象のＲＡＴを指定するサーチ対象ＲＡＴ情報を取得するように構成されており、前記再接続制御部は、無線品質の劣化を検出した場合に、前記サーチ対象ＲＡＴ情報によって指定されている前記ＲＡＴに限定してセルサーチを行うように構成されていることを要旨とする。
【００２７】
本発明の第４の特徴は、移動通信端末であって、ＡＳレイヤ機能として再接続制御部を具備しており、前記再接続処理部は、各ネットワークオペレータの各ＲＡＴがＶｏＩＰ通信をサポートしているか否かについて示すＶｏＩＰサポート情報を管理しており、前記再接続処理部は、前記ネットワークから個別の所定タイマの値を受信した場合に、その時点で在圏しているネットワークオペレータに係る前記ＶｏＩＰサポート情報に基づいて、サーチ対象のＲＡＴを決定するように構成されており、前記再接続処理部は、無線品質の劣化を検出した場合に、決定した前記ＲＡＴに限定してセルサーチを行うように構成されていることを要旨とする。
【発明の効果】
【００２８】
以上説明したように、本発明によれば、移動通信端末の実装を複雑にすることなく、ＶｏＩＰ通信中の再接続処理におけるセルサーチを最適化することができる移動通信方法及び移動通信端末を提供することができる。
【図面の簡単な説明】
【００２９】
【図１】本発明の第１の実施形態に係る移動通信システムの全体構成図である。
【図２】本発明の第１の実施形態に係る移動通信端末の機能ブロック図である。
【図３】本発明の第１の実施形態に係る移動通信端末のサーチ対象ＲＡＴ情報記憶部によって記憶されるサーチ対象ＲＡＴ情報の一例を示す図である。
【図４】本発明の第１の実施形態に係る移動通信システムの動作例を示すシーケンス図である。
【図５】本発明の第１の実施形態に係る移動通信端末の再接続検出部の動作例を示すフローチャートである。
【図６】本発明の第１の実施形態に係る移動通信端末のセルサーチ方法決定部の動作例を示すフローチャートである。
【図７】本発明の第１の実施形態に係る移動通信端末のサーチ対象ＲＡＴ管理部の動作例１を示すフローチャートである。
【図８】本発明の第１の実施形態に係る移動通信端末のサーチ対象ＲＡＴ管理部の動作例２を示すフローチャートである。
【図９】本発明の第１の実施形態に係る移動通信端末のサーチ対象ＲＡＴ管理部の動作例３を示すフローチャートである。
【図１０】本発明の変更例１に係る移動通信端末の機能ブロック図である。
【図１１】本発明の変更例１に係る移動通信端末のＶｏＩＰサポート情報保持部によって記憶されるＶｏＩＰサポート情報の一例を示す図である。
【図１２】本発明の変更例１に係る移動通信端末のサーチ対象ＲＡＴ管理部の動作例を示すフローチャートである。
【図１３】従来技術を説明するための図である。
【発明を実施するための形態】
【００３０】
（本発明の第１の実施形態に係る移動通信システム）
図１乃至図９を参照して、本発明の第１の実施形態に係る移動通信システムについて説明する。本実施形態では、本実施形態に係る移動通信システムとして、３Ｇ方式（ＷＣＤＭＡ方式）やＬＴＥ方式の移動通信システムを例示して説明するが、本発明は、３Ｇ方式やＬＴＥ方式以外の移動通信システムにも適用可能である。
【００３１】
図１に示すように、本実施形態に係る移動通信システムは、ＬＴＥネットワーク及び３Ｇネットワークを具備している。
【００３２】
ＬＴＥネットワークは、ＲＡＴとしてのＥ-ＵＴＲＡＮ及びコアネットワークとしてのＥＰＣを具備しており、３Ｇネットワークは、ＲＡＴとしてのＵＴＲＡＮ及び３Ｇ方式のコアネットワークを具備している。
【００３３】
ここで、Ｅ-ＵＴＲＡＮには、無線基地局ｅＮＢが設けられており、ＥＰＣには、ゲートウェイ装置Ｓ-ＧＷ/Ｐ-ＧＷや移動管理ノードＭＭＥが設けられている。
【００３４】
また、ＵＴＲＡＮには、無線基地局ＮｏｄｅＢや無線回線制御局ＲＮＣが設けられており、３Ｇ方式のコアネットワークには、ゲートウェイ装置Ｓ-ＧＷ/Ｐ-ＧＷや交換局ＳＧＳＮ/ＧＧＳＮが設けられている。
【００３５】
図２に示すように、本実施形態に係る移動通信端末ＵＥは、通信制御部１１と、ＡＳ機能レイヤとしての再接続制御部１２とを具備している。
【００３６】
通信制御部１１は、移動通信端末ＵＥの通信制御全般の機能を担うように構成されている。
【００３７】
再接続処理管理部１２は、上述の再接続処理を行うように構成されており、再接続検出部１２Ａと、サーチ対象ＲＡＴ管理部１２Ｂと、サーチ対象ＲＡＴ情報記憶部１２Ｃと、セルサーチ方法決定部１２Ｄとを具備している。
【００３８】
再接続検出部１２Ａは、移動通信端末ＵＥが再接続処理を行うトリガ（すなわち、無線品質の劣化）を検出するように構成されている。
【００３９】
サーチ対象ＲＡＴ管理部１２Ｂは、サーチ対象ＲＡＴ情報記憶部１２Ｃと連携して、ネットワークから通知された再接続処理におけるセルサーチの対象のＲＡＴを指定するサーチ対象ＲＡＴ情報を管理するように構成されている。
【００４０】
例えば、図３に示すように、サーチ対象ＲＡＴ情報は、「３Ｇネットワーク」と「ＬＴＥネットワーク」とを関連付ける情報である。
【００４１】
ここで、「３Ｇネットワーク」は、３Ｇネットワーク配下のセル（すなわち、３Ｇ方式のセル）をセルサーチの対象とするか否かについて示す情報であり、「ＬＴＥネットワーク」は、ＬＴＥネットワーク配下のセル（すなわち、ＬＴＥ方式のセル）をセルサーチの対象とするか否かについて示す情報である。
【００４２】
セルサーチ方法決定部１２Ｄは、再接続処理において、再接続検出部１２Ａ及びサーチ対象ＲＡＴ管理部１２Ｂと連携して、セルサーチの方法を決定するように構成されている。
【００４３】
以下、図４乃至図９を参照して、本実施形態に係る移動通信システムの動作について説明する。
【００４４】
第１に、図４を参照して、本実施形態に係る移動通信システムにおいて移動通信端末ＵＥがＶｏＬＴＥ通信を行っている場合に無線品質が劣化した場合の動作例について説明する。
【００４５】
なお、図４の例では、ＬＴＥネットワークは、ＶｏＩＰ通信をサポートしており、３Ｇネットワークは、ＶｏＩＰ通信をサポートしていないものとする。
【００４６】
図４に示すように、移動通信端末ＵＥは、ステップＳ１００１において、ＬＴＥネットワークにおいてＶｏＩＰ通信を開始する際に、ステップＳ１００２において、ＬＴＥネットワークから、ＬＴＥネットワーク配下のセルをセルサーチの対象とすることを示すサーチ対象ＲＡＴ情報を取得する。
【００４７】
移動通信端末ＵＥは、ステップＳ１００３において、ＶｏＩＰ通信を行っている場合に、ステップＳ１００４において、無線品質の劣化（ＲＬＦ）を検出すると、ステップＳ１００５において、再接続タイマであるＴ３１１を起動する。
【００４８】
移動通信端末ＵＥは、ステップＳ１００６において、上述のサーチ対象ＲＡＴ情報によって指定されているＲＡＴ配下のセル（すなわち、ＬＴＥネットワーク配下のセル）に限定してセルサーチを行う。
【００４９】
移動通信端末ＵＥは、ステップＳ１００７において、在圏可能なＬＴＥネットワーク配下のセルを選択し、ステップＳ１００８において、再接続処理に成功し、ＶｏＩＰ通信を継続することができる。
【００５０】
第２に、図５を参照して、本実施形態に係る移動通信端末ＵＥの再接続検出部１２Ａの動作例について説明する。
【００５１】
図５に示すように、再接続検出部１２Ａは、ステップＳ１０１において、移動通信端末ＵＥが再接続処理を行うトリガ（すなわち、無線品質の劣化）を検出すると、ステップＳ１０２において、セルサーチ方法決定部１２Ｄに対して、その旨を通知する。
【００５２】
第３に、図６を参照して、本実施形態に係る移動通信端末ＵＥのセルサーチ方法決定部１２Ｄの動作例について説明する。
【００５３】
図６に示すように、セルサーチ方法決定部１２Ｄは、ステップＳ２０１において、再接続処理部１２Ａから、上述の通知を受信すると、ステップＳ２０２において、サーチ対象ＲＡＴ管理部１２Ｂに対して、サーチ対象ＲＡＴ情報を問い合わせる。
【００５４】
セルサーチ方法決定部１２Ｄは、サーチ対象ＲＡＴ管理部１２Ｂからサーチ対象ＲＡＴ情報を取得した場合（ステップＳ２０３における「ＹＥＳ」）、ステップＳ２０４において、サーチ対象ＲＡＴ情報によって指定されているＲＡＴ配下のセルのみをサーチ対象とする。
【００５５】
一方、セルサーチ方法決定部１２Ｄは、サーチ対象ＲＡＴ管理部１２Ｂからサーチ対象ＲＡＴ情報を取得しなかった場合（ステップＳ２０３における「ＮＯ」）、ステップＳ２０５において、既存のセルサーチを行う。
【００５６】
第４に、図７を参照して、本実施形態に係る移動通信端末ＵＥのサーチ対象ＲＡＴ管理部１２Ｂの動作例１について説明する。
【００５７】
図７に示すように、サーチ対象ＲＡＴ管理部１２Ｂは、ステップＳ３０１において、セルサーチ方法決定部１２Ｄからの問い合わせがあった場合、ステップＳ３０２において、サーチ対象ＲＡＴ情報記憶部１２Ｃからサーチ対象ＲＡＴ情報を取得し、ステップＳ３０３において、セルサーチ方法決定部１２Ｄに対して、取得したサーチ対象ＲＡＴ情報を通知する。
【００５８】
第５に、図８を参照して、本実施形態に係る移動通信端末ＵＥのサーチ対象ＲＡＴ管理部１２Ｂの動作例２について説明する。
【００５９】
図８に示すように、サーチ対象ＲＡＴ管理部１２Ｂは、ステップＳ４０１において、ネットワークから、サーチ対象ＲＡＴ情報を取得すると、ステップＳ４０２において、かかるサーチ対象ＲＡＴ情報に基づいて、サーチ対象ＲＡＴ情報記憶部１２Ｃの記憶内容を更新する。
【００６０】
第６に、図９を参照して、本実施形態に係る移動通信端末ＵＥのサーチ対象ＲＡＴ管理部１２Ｂの動作例３について説明する。
【００６１】
図９に示すように、サーチ対象ＲＡＴ管理部１２Ｂは、ステップＳ５０１において、移動通信端末ＵＥが待受け状態（ＲＲＣ_Ｉｄｌｅ状態）に遷移したことを検出すると、ステップＳ５０２において、サーチ対象ＲＡＴ情報記憶部１２Ｃの記憶内容をクリアする。
【００６２】
（変更例１）
以下、図１０乃至図１２を参照して、本発明の変更例１に係る移動通信システムについて、上述の第１の実施形態に係る移動通信システムとの相違点に着目して説明する。
【００６３】
ＬＴＥ方式では、Ｔ３１１と呼ばれる再接続タイマは、通常は、報知情報で移動通信端末ＵＥに通知されており、全ての移動通信端末ＵＥで共通の値が用いられている。
【００６４】
しかしながら、３ＧＰＰの仕様において、ＬＴＥ方式では、個別Ｔ３１１タイマと呼ばれるタイマも規定されており、ネットワークは、移動通信端末ＵＥごとに個別にＡＳ信号を用いて、個別Ｔ３１１の値を通知することができるように構成されている。
【００６５】
かかる個別Ｔ３１１は、ＶｏＩＰ通信を始めとしたリアルタイム性が要求される通信サービスを提供する際に再接続処理を試みる時間を短縮するために用いられる等、個別Ｔ３１１の値は、通信サービスごとに調節可能である。
【００６６】
本変更例１に係る移動通信システムでは、移動通信端末ＵＥは、ネットワークから、かかる個別Ｔ３１１の値が通知された場合、ＶｏＩＰ通信を行っていると見なし、予め保持している在圏中のネットワークオペレータによるＶｏＩＰサポート情報を参照して、サーチ対象ＲＡＴを決定するように構成されている。
【００６７】
具体的には、図１０に示すように、本変更例１に係る移動通信端末ＵＥは、図２に示す機能に加えて、ＶｏＩＰサポート情報保持部１２Ｅを具備している。
【００６８】
ＶｏＩＰサポート情報保持部１２Ｅは、各ネットワークオペレータの各ＲＡＴ（或いは、無線アクセスネットワーク）がＶｏＩＰ通信をサポートしているか否かについて示すＶｏＩＰサポート情報を管理するように構成されている。
【００６９】
例えば、図１１に示すように、ＶｏＩＰサポート情報は、「ネットワークオペレータ（ＰＬＭＮ）」と「３Ｇネットワーク」と「ＬＴＥネットワーク」とを関連付ける情報である。
【００７０】
ここで、「ネットワークオペレータ（ＰＬＭＮ）」は、ネットワークオペレータ（移動通信事業者）の識別情報を示し、「３Ｇネットワーク」は、ネットワークオペレータの３Ｇネットワーク（ＵＴＲＡＮ）がＶｏＩＰ通信をサポートしているか否かについて示す情報であり、「ＬＴＥネットワーク」は、ＬＴＥネットワーク（Ｅ-ＵＴＲＡＮ）がＶｏＩＰ通信をサポートしているか否かについて示す情報である。
【００７１】
以下、図１２を参照して、本変更例１に係る移動通信端末ＵＥのサーチ対象ＲＡＴ管理部１２Ｂの動作例について説明する。
【００７２】
図１２に示すように、サーチ対象ＲＡＴ管理部１２Ｂは、ステップＳ６０１において、ネットワークから個別Ｔ３１１の値を取得すると、ステップＳ６０２において、ＶｏＩＰサポート情報保持部１２Ｅを参照して、その時点で在圏しているネットワークオペレータのＲＡＴのうち、ＶｏＩＰ通信をサポートしているＲＡＴをサーチ対象ＲＡＴとし、ＶｏＩＰ通信をサポートしていないＲＡＴをサーチ対象ＲＡＴから除外するようにサーチ対象ＲＡＴ情報記憶部１２Ｃの記憶内容を更新する。
【００７３】
以上に述べた本実施形態の特徴は、以下のように表現されていてもよい。
【００７４】
本実施形態の第１の特徴は、移動通信方法であって、移動通信端末ＵＥが、ＶｏＩＰ通信をサポートしているＬＴＥネットワークにおいてＶｏＩＰ通信を開始する際に、ＬＴＥネットワークが、移動通信端末ＵＥのＡＳレイヤ機能に対して、サーチ対象のＲＡＴ（或いは、無線アクセスネットワーク）を指定するサーチ対象ＲＡＴ情報を送信する工程と、移動通信端末ＵＥのＡＳレイヤ機能が、無線品質の劣化を検出した場合に、上述のサーチ対象ＲＡＴ情報によって指定されているＲＡＴに限定してセルサーチを行う工程とを有することを要旨とする。
【００７５】
かかる特徴によれば、ＶｏＩＰ通信をサポートしているネットワーク及びＶｏＩＰ通信をサポートしていないネットワークが混在している環境において、移動通信端末ＵＥの実装を複雑にすることなく、移動通信端末ＵＥのＡＳレイヤ機能のみによって、再接続処理におけるセルサーチの最適化を図ることができ、ＶｏＩＰ通信の接続品質の向上を図ることができる。
【００７６】
本実施形態の第２の特徴は、移動通信方法であって、移動通信端末ＵＥは、各ネットワークオペレータの各ＲＡＴ（或いは、各無線アクセスネットワーク）がＶｏＩＰ通信をサポートしているか否かについて示すＶｏＩＰサポート情報を管理しており、移動通信端末ＵＥのＡＳレイヤ機能が、ネットワークから個別Ｔ３１１（個別の所定タイマ）の値を受信した場合に、その時点で在圏しているネットワークオペレータに係るＶｏＩＰサポート情報に基づいて、サーチ対象のＲＡＴ（或いは、無線アクセスネットワーク）を決定する工程と、移動通信端末ＵＥのＡＳレイヤ機能が、無線品質の劣化を検出した場合に、決定したＲＡＴ（或いは、無線アクセスネットワーク）に限定してセルサーチを行う工程とを有することを要旨する。
【００７７】
かかる特徴によれば、ネットワークから移動通信端末ＵＥに対してサーチ対象ＲＡＴ情報を通知するための新たな信号を定義することなく、既存の個別Ｔ３１１の値を通知する信号を流用して、移動通信端末ＵＥにおいて、ＶｏＩＰ通信の接続品質の向上を図るために最適なサーチ対象のＲＡＴ（或いは、無線アクセスネットワーク）が決定され得る。
【００７８】
本実施形態の第３の特徴は、移動通信端末ＵＥであって、ＡＳレイヤ機能として再接続制御部１２を具備しており、再接続制御部１２は、ＶｏＩＰ通信をサポートしているＬＴＥネットワークにおいてＶｏＩＰ通信を開始する際に、かかるＬＴＥネットワークから、サーチ対象のＲＡＴ（或いは、無線アクセスネットワーク）を指定するサーチ対象ＲＡＴ情報を取得するように構成されており、再接続制御部１２は、無線品質の劣化を検出した場合に、上述のサーチ対象ＲＡＴ情報によって指定されているＲＡＴ（或いは、無線アクセスネットワーク）に限定してセルサーチを行うように構成されていることを要旨とする。
【００７９】
かかる特徴によれば、ＶｏＩＰ通信をサポートしているネットワーク及びＶｏＩＰ通信をサポートしていないネットワークが混在している環境において、移動通信端末ＵＥの実装を複雑にすることなく、移動通信端末ＵＥのＡＳレイヤ機能のみによって、再接続処理におけるセルサーチの最適化を図ることができ、ＶｏＩＰ通信の接続品質の向上を図ることができる。
【００８０】
本実施形態の第４の特徴は、移動通信端末ＵＥであって、ＡＳレイヤ機能として再接続制御部１２を具備しており、再接続処理部１２は、各ネットワークオペレータの各ＲＡＴ（或いは、各無線アクセスネットワーク）がＶｏＩＰ通信をサポートしているか否かについて示すＶｏＩＰサポート情報を管理しており、再接続処理部１２は、ネットワークから個別Ｔ３１１の値を受信した場合に、その時点で在圏しているネットワークオペレータに係るＶｏＩＰサポート情報に基づいて、サーチ対象のＲＡＴ（或いは、無線アクセスネットワーク）を決定するように構成されており、再接続処理部１２は、無線品質の劣化を検出した場合に、決定したＲＡＴ（或いは、無線アクセスネットワーク）に限定してセルサーチを行うように構成されていることを要旨とする。
【００８１】
かかる特徴によれば、ネットワークから移動通信端末ＵＥに対してサーチ対象ＲＡＴ情報を通知するための新たな信号を定義することなく、既存の個別Ｔ３１１の値を通知する信号を流用して、移動通信端末ＵＥにおいて、ＶｏＩＰ通信の接続品質の向上を図るために最適なサーチ対象のＲＡＴ（或いは、無線アクセスネットワーク）が決定され得る。
【００８２】
なお、上述の移動通信端末ＵＥの動作は、ハードウェアによって実施されてもよいし、プロセッサによって実行されるソフトウェアモジュールによって実施されてもよいし、両者の組み合わせによって実施されてもよい。
【００８３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動通信端末ＵＥ内に設けられていてもよい。また、かかる記憶媒体及びプロセッサは、ディスクリートコンポーネントとして移動通信端末ＵＥ内に設けられていてもよい。
【００８５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８６】
ＵＥ…移動通信端末
１１…通信制御部
１２…再接続制御部
１２Ａ…再接続検出部
１２Ｂ…サーチ対象ＲＡＴ管理部
１２Ｃ…サーチ対象ＲＡＴ情報記憶部
１２Ｄ…セルサーチ方法決定部
１２Ｅ…ＶｏＩＰサポート情報保持部
【図１】
2014212446.tif 000003
【図２】
2014212446.tif 000004
【図３】
2014212446.tif 000005
【図４】
2014212446.tif 000006
【図５】
2014212446.tif 000007
【図６】
2014212446.tif 000008
【図７】
2014212446.tif 000009
【図８】
2014212446.tif 000010
【図９】
2014212446.tif 000011
【図１０】
2014212446.tif 000012
【図１１】
2014212446.tif 000013
【図１２】
2014212446.tif 000014
【図１３】
2014212446.tif 000015